(57)【要約】 【課題】現在普及している窓ガラス用のフィルムは、主にガラスの飛散を防止するという用途で用いられており、さらに防犯対策にもなるという点での使用方法で急速に普及している。しかし、この場合は実際の防犯対策としての効果は侵入時間を遅らせられる程度で、完全に防止できるわけではないという課題がある。【解決手段】ガラス面に粘着シールまたは粘着フィルムを用いて、簡便に付設可能な形態の線状または面状の全方向検知型スイッチを付設し、ガラス破損を感知し、異常を知らせるフラッシュライトなどの閃光器あるいは警報器などの警告発信部材を作動させる手段とから構成されたことを特徴とするガラス破損を知らせる全方向検知型スイッチ、および防犯警告システムを提供する。【選択図】図１
2005202708.tif 000002
【特許請求の範囲】
【請求項１】
ガラス面に付設する導電線等のスイッチの手段と、該スイッチとＩＣ回路の手段から形成された線状または面状の全方向検知型のスイッチモジュールの手段と、該スイッチモジュールをガラス面に貼付する粘着シールまたは粘着フィルム形態の部材と、前記スイッチモジュールと連動し、ガラス破損を感知し、異常を知らせるフラッシュライトなどの閃光器あるいは警報器などの警告発信部材を作動させる手段とから構成されたことを特徴とするガラス破損を知らせる全方向検知型スイッチ、および防犯警告システム。
【請求項２】
複数の導電部材を絶縁処理により、直径２ミリメートル以下の１本の導電線として形成する技術と、該導電線とＩＣ回路で構成され、ガラス戸等のガラス内側表面に粘着シールまたは粘着フィルムを用いて、簡便に付設できる形態であることを特徴とする請求項１記載のガラス破損を知らせる全方向検知型スイッチ、および防犯警告システム。
【請求項３】
ガラスの破損を感知し、有線あるいは無線の手段によって、非常を知らせる警告発信部材を作動させることを特徴とする請求項１記載および請求項２記載のガラス破損を知らせる全方向検知型スイッチ、および防犯警告システム。
【請求項４】
請求項１記載および請求項２記載のガラス破損を知らせる全方向検知型スイッチを付設したガラス、および防犯対策フィルムなどを貼付したガラスにおいて、該ガラスを意図的に破損させ、ガラスの外側から反対側のフィルム面をカットできる様にした、への字またはＬ字型の工具の手段と、該工具の長い方の一端をフィルム部材を突き破れる様に鋭く尖らせ、フィルム部材に開けられた穴に、もう一方の短い方を挿入した際に、フィルム面に当たる角度で工具先端に小さな刃物を固定させ、挿入した穴を中心にして回転させて使用できる形態の構造であることを特徴としたガラスフィルムカッター。
【発明の詳細な説明】
【技術分野】
【０００１】
本願発明は、ガラス戸等のガラス内側表面にシールまたはフィルムを用いて付設する形態のガラス破損を知らせる全方向検知型スイッチ、および警告システムに関し、特に、簡便にガラス戸の防犯を実施できる技術に関するものである。
【背景技術】
【０００２】
従来、建物の採光部や開口部等には、屋外と屋内とを仕切るガラス戸が使用され、このガラス戸はアルミ枠等にはめ込まれた状態で使用されている。このガラス戸の錠は、通常ガラス戸の屋内側から手で操作できるものである。また、盗犯者などがガラス戸のガラスを破損させ、外側からの開錠を防止するための防犯を目的としたガラス貼付用の防犯フィルムなどの利用が近年盛んに普及している。
【特許文献１】特開２００１−２１４６７３号公報
【発明の開示】
【発明が解決しようとする課題】
【０００３】
しかしながら、以上の技術によれば、盗犯者等の家屋に不法に侵入しようとする者は、ガラス戸のアルミサッシにはめ込まれた板ガラスの中央部の錠に近い部分の場所を石、あるいはブロック、ドライバー、ハンマー、バール等の道具で破損させ、この板ガラスの破損した部分から手を屋内側に差し入れて、前記ガラス戸の錠を容易く開けてしまうという課題がある。
また、現在普及している窓ガラス用のフィルムは、主にガラスの飛散を防止するという用途で用いられており、さらに防犯対策にもなるという点での使用方法で急速に普及している。しかし、この場合は実際の防犯対策としての効果は侵入時間を遅らせられる程度で、完全に防止できるわけではないという課題がある。
【課題を解決するための手段】
【０００４】
以上の課題を解決するために、第一発明は、ガラス面に付設する導電線等のスイッチの手段と、該スイッチとＩＣ回路の手段から形成された線状または面状の全方向検知型のスイッチモジュールの手段と、該スイッチモジュールをガラス面に貼付する粘着シールまたは粘着フィルム形態の部材と、前記スイッチモジュールと連動し、ガラス破損を感知し、異常を知らせるフラッシュライトなどの閃光器あるいは警報器などの警告発信部材を作動させる手段とから構成されたことを特徴とするガラス破損を知らせる全方向検知型スイッチ、および防犯警告システムである。
また、第二発明は、複数の導電部材を絶縁処理により、直径２ミリメートル以下の１本の導電線として形成する技術と、該導電線とＩＣ回路で構成され、ガラス戸等のガラス内側表面に粘着シールまたは粘着フィルムを用いて、簡便に付設できる形態であることを特徴とする請求項１記載のガラス破損を知らせる全方向検知型スイッチ、および防犯警告システムである。
また、第三発明は、ガラスの破損を感知し、有線あるいは無線の手段によって、非常を知らせる警告発信部材を作動させることを特徴とする請求項１記載および請求項２記載のガラス破損を知らせる全方向検知型スイッチ、および防犯警告システムである。
また、第四発明は、請求項１記載および請求項２記載のガラス破損を知らせる全方向検知型スイッチを付設したガラス、および防犯対策フィルムなどを貼付したガラスにおいて、該ガラスを意図的に破損させ、ガラスの外側から反対側のフィルム面をカットできる様にした、への字またはＬ字型の工具の手段と、該工具の長い方の一端をフィルム部材を突き破れる様に鋭く尖らせ、フィルム部材に開けられた穴に、もう一方の短い方を挿入した際に、フィルム面に当たる角度で工具先端に小さな刃物を固定させ、挿入した穴を中心にして回転させて使用できる形態の構造であることを特徴としたガラスフィルムカッターである。
【発明の効果】
【０００５】
第一発明、または第二発明または第三発明によれば、ガラス面に貼付する防犯フィルムの従来の機能に、ガラスの破損を知らせる全方向検知型スイッチ、およびフラッシュライトなどと連動して作動する防犯警告システムの機能を付加したので、防犯対策などにおける技術的な効果が一層向上する。
また、第四発明によれば、震災などの不測の事態に遭遇しても、フィルム貼付ガラスに開口部を作って鍵を開け、屋内に容易に入ることができる。
【発明を実施するための最良の形態】
【０００６】
この発明の一実施形態を、図１に示す。
線状全方位検知型スイッチ１と、粘着フィルム２と、線状導電体３と、ＩＣ制御ユニット（有線・無線）４と、閃光器または警報器５と、導伝体部材６と、薄膜絶縁体部材７から構成されている。
【０００７】
「実施形態の効果」
この実施形態によれば、ガラス戸のガラスの屋内側表面に貼付する全方向検知型スイッチをガラス戸に設けられた錠付近のガラス戸のガラスの屋内側表面に貼付したときに、貼付した範囲内のガラスを屋外側から破損しても、ガラスの屋内側表面に貼付された全方向検知型スイッチが作動してしまうため侵入が困難となる。
【０００８】
「他の実施形態」
図１の実施形態では、全方向検知型スイッチは、縦に複数本並べてあったが、他の実施形態では、全方向検知型スイッチ形態は、１本のみ、あるいは格子状、あるいは面状の形態でも良いとし、大きさは任意とする。また、粘着フィルム素材は、ステッカーなどと組み合わせても良く、建物以外のガラスにおいて、防犯対策が必要なものに貼付しても良い。
【図面の簡単な説明】
【０００９】
【図１】この発明の一実施形態を示す平面図である。
【図２】この発明の一実施形態を示す断面図である。
【符号の説明】
【００１０】
１  線状全方位検知型スイッチ          
２  粘着フィルム
３  線状導電体 
４  ＩＣ制御ユニット（有線・無線）
５  閃光器または警報器
６  導電体部材  
７  薄膜絶縁体部材
【図１】
2005202708.tif 000003
【図２】
2005202708.tif 000004